(57)【要約】      （修正有）【課題】複数のシート物を適切に包装することができるシート物の包装体を提供する。【解決手段】折り線１１ａ、１１ａを介して縦列に連接する保持面１１、１１と、各保持面１１の相対向する２辺に形成する横フラップ１２、１２…と、保持面の列の一端に形成する縦フラップ１３とを設ける。【選択図】図１
2006008163.tif 000002
【特許請求の範囲】
【請求項１】
折り線を介して縦列に連接する複数の四角い保持面と、該保持面のそれぞれに対し、相対向する２辺に形成する一対の横フラップと、前記保持面の列の一端に形成する縦フラップとを備えてなり、前記横フラップは、前記各保持面上のシート物を保持し、前記縦フラップは、最後尾から先頭に向けてシート物とともに順に折り畳む前記各保持面を一括して止めることを特徴とするシート物の包装体。
【請求項２】
先頭から２番目の前記保持面には、前記縦フラップの先端の挿入片を差し込む切込線を形成することを特徴とする請求項１記載のシート物の包装体。
【請求項３】
前記折り線は、前記各保持面を折り畳む際のつま面相当の間隔に平行な２条を設けることを特徴とする請求項１または請求項２記載のシート物の包装体。
【請求項４】
最後尾を除く前記各保持面の横フラップは、前記縦フラップ側の先端を切り欠くことを特徴とする請求項１ないし請求項３のいずれか記載のシート物の包装体。
【請求項５】
最後尾の前記保持面の横フラップは、前記縦フラップと反対側の先端を切り欠くことを特徴とする請求項１ないし請求項４のいずれか記載のシート物の包装体。
【発明の詳細な説明】
【技術分野】
【０００１】
この発明は、複数のコンパクトディスク、フロッピディスク、小冊子などのシート状物（以下、単にシート物という）を適切に包装することができるシート物の包装体に関する。
【背景技術】
【０００２】
コンパクトディスクを包装する包装体として、プラスチック製に代えて、コストや環境面に配慮して紙製のものが提案されている（特許文献１）。
【０００３】
このものは、１枚の紙を長方形に打ち抜き、四角い台紙部の相対向する２辺にそれぞれカバー片、支持片を連接し、支持片の内側にコンパクトディスクを係合支持させて台紙部の上に折り重ね、支持片の上にカバー片を折り重ねることにより、コンパクトディスクを包装する。なお、中間の台紙部に形成する円形の凹部にコンパクトディスクを収納し、カバー片で包装する形態も知られている（特許文献２）。
【特許文献１】特開平１０−１６７３６６号公報
【特許文献２】特開２００３−１７０９８５号公報
【発明の開示】
【発明が解決しようとする課題】
【０００４】
かかる従来技術によるときは、包装し得るコンパクトディスクが１枚のみに限定されるため、適用範囲が狭いという問題があった。また、後者のものは、台紙部の厚みを必要とするので複数枚の紙を貼り合わせなければならず、製造コストが過大となりがちである。
【０００５】
そこで、この発明の目的は、かかる従来技術の問題に鑑み、横フラップ付きの複数の保持面を折畳み可能に連接することによって、１枚の紙製でありながら、複数のシート物を適切に包装することができるシート物の包装体を提供することにある。
【課題を解決するための手段】
【０００６】
かかる目的を達成するためのこの発明の構成は、折り線を介して縦列に連接する複数の四角い保持面と、保持面のそれぞれに対し、相対向する２辺に形成する一対の横フラップと、保持面の列の一端に形成する縦フラップとを備えてなり、横フラップは、各保持面上のシート物を保持し、縦フラップは、最後尾から先頭に向けてシート物とともに順に折り畳む各保持面を一括して止めることをその要旨とする。
【０００７】
なお、先頭から２番目の保持面には、縦フラップの先端の挿入片を差し込む切込線を形成することができ、折り線は、各保持面を折り畳む際のつま面相当の間隔に平行な２条を設けることができる。
【０００８】
また、最後尾を除く各保持面の横フラップは、縦フラップ側の先端を切り欠いてもよく、最後尾の保持面の横フラップは、縦フラップと反対側の先端を切り欠いてもよい。
【０００９】
ただし、この発明において、「先頭」、「最後尾」とは、縦列の複数の保持面について、それぞれ縦フラップに最も近いもの、縦フラップから最も遠いものを指すものとする。
【発明の効果】
【００１０】
かかる発明の構成によるときは、保持面、横フラップ、縦フラップは、１枚の紙を打ち抜いて作ることができ、製造コストを最少にすることができる。なお、四角い保持面は、それぞれの横フラップを折り重ねることにより、それぞれの上のシート物を仮に保持することができ、最後尾から先頭に向けて順に折り畳むことにより、シート物を完全に包装して保持することができる。そこで、縦フラップを介し、各保持面を一括して止めることにより、包装を完成することができる。ただし、各保持面の一対の横フラップは、保持面上に突き合わせて折り重ねることができるように、保持面の幅の１／２相当の高さに作ることが好ましいが、保持面上に折り重ねるとき、それぞれの先端間に隙間を残してもよいときは、保持面の幅の１／２以下の高さにすることも可能である。
【００１１】
最後尾から先頭に向けて各保持面を順に折畳むと、先頭の保持面が最も下となり、先頭から２番目の保持面が最も上になる。そこで、先頭の保持面に連続する縦フラップを最も上の先頭から２番目の保持面に止めることにより、全体の包装を完成させることができる。すなわち、縦フラップは、先頭から２番目の保持面に形成する切込線に先端の挿入片を差し込むことにより、各保持面を一括して止め、包装を簡単に完成させることができる。
【００１２】
各保持面間の折り線は、平行な２条を設けることにより、各保持面を順に折り畳む際に必要なつま面を形成することができる。なお、必要なつま面の幅は、折り畳まれる保持面の数とシート物の厚さとに依存するから、最後尾から先頭に向けて、折り線の間隔を順次広くして行くことが好ましい。また、縦フラップも、順に折り畳まれた複数の保持面の全部の１辺を下から上に包み込むために、適切な間隔の平行な２条の折り線を介して先頭の保持面の１辺に形成することが好ましい。
【００１３】
最後尾を除く各保持面の横フラップは、縦フラップ側の先端を切り欠くことにより、保持面上のシート物の上に折り重ねるとき、内部のシート物の一部を露出させ、シート物を取り出し易くすることができる。なお、最後尾の保持面の横フラップは、縦フラップと反対側の先端を切り欠くことにより、同様の効果を実現することができる。なお、最後尾の保持面は、その開放側の１辺を横フラップの切欠き形状に合わせて切り欠くことにより、シート物の取出しを一層容易にすることができる。
【発明を実施するための最良の形態】
【００１４】
以下、図面を以って発明の実施の形態を説明する。
【００１５】
シート物の包装体は、１枚の紙を打ち抜いて作り、四角い保持面１１、１１と、各保持面１１の相対向する２辺に形成する各一対の横フラップ１２、１２…と、保持面１１、１１の列の一端に形成する縦フラップ１３とを備えてなる（図１、図２）。
【００１６】
各保持面１１は、包装するシート物としてのたとえばコンパクトディスクＣＤに適合する大きさに形成されており、間隔ｄ1 の平行な２条の折り線１１ａ、１１ａを介して縦列に連接されている。また、各保持面１１の横フラップ１２、１２は、それぞれ折り線１２ａを介して保持面１１に連接されており、縦フラップ１３は、間隔ｄ1 の平行な２条の折り線１３ａ、１３ａを介して、一方の保持面１１、すなわち先頭の保持面１１の１辺に連接されている。
【００１７】
各保持面１１の横フラップ１２、１２の高さｈ、ｈは、保持面１１の幅ｗに対し、ｈ＝ｗ／２となっている。また、先頭の保持面１１の横フラップ１２、１２は、それぞれ縦フラップ１３側の先端が浅い円弧状に対称形に切り欠かれている。また、縦フラップ１３と反対側の保持面１１、すなわち最後尾の保持面１１の横フラップ１２、１２は、それぞれ縦フラップ１３と反対側の先端が浅い円弧状に対称形に切り欠かれている。なお、最後尾の保持面１１の縦フラップ１３と反対側の開放側の１辺は、横フラップ１２、１２の切欠きの形状に合わせて、半月状に切り欠かれている。
【００１８】
縦フラップ１３は、先端側の両端が円弧状に丸められており、先端中央部には、円弧状の折り線１３ｃを介し、円弧状の挿入片１３ｂが突設されている。また、最後尾の保持面１１、すなわち先頭から２番目の保持面１１には、挿入片１３ｂを挿し込む切込線１１ｂが形成されている。切込線１１ｂは、縦フラップ１３と反対側に円弧状に湾曲させ、両端をフック状に折り返して形成されている。
【００１９】
かかるシート物の包装体は、各保持面１１上にコンパクトディスクＣＤを載せ（図１の二点鎖線）、折り線１２ａを介して各横フラップ１２を保持面１１上のコンパクトディスクＣＤの上に折り重ねる（図３）。このとき、各保持面１１上の横フラップ１２、１２は、コンパクトディスクＣＤ上に突き合わせるようにしてコンパクトディスクＣＤ上に折り重ねられ（図３）、コンパクトディスクＣＤを仮に保持することができる。なお、先頭の保持面１１上のコンパクトディスクＣＤは、縦フラップ１３側の一部が横フラップ１２、１２の切欠きを介して上面側が露出し、最後尾の保持面１１上のコンパクトディスクＣＤは、縦フラップ１３側と反対側の一部が、横フラップ１２、１２、保持面１１の切欠きを介して上下両面側が露出する。
【００２０】
そこで、最後尾の保持面１１を先頭の保持面１１に向けてコンパクトディスクＣＤとともに折り畳み（図４（Ａ）の矢印Ｋ1 方向、二点鎖線）、つづいて、縦フラップ１３を逆方向に折り重ねると（図４（Ａ）の矢印Ｋ2 方向、図４（Ｂ））、縦フラップ１３は、保持面１１、１１を一括して止め、コンパクトディスクＣＤ、ＣＤの包装を完成させることができる（図５（Ａ））。なお、縦フラップ１３は、先端の挿入片１３ｂを最後尾の保持面１１の切込線１１ｂに差し込んで止めるものとする（図５（Ｂ）、（Ｃ））。ただし、図５（Ａ）〜（Ｃ）は、それぞれ全体斜視図、図５（Ａ）のＢ−Ｂ線矢視相当拡大断面図、要部拡大平面図である。
【００２１】
図５（Ａ）において、上下の保持面１１、１１の間には、折り線１１ａ、１１ａの間隔ｄ1 に相当するつま面１１ｃが形成されている。また、縦フラップ１３と下の保持面１１との間には、折り線１３ａ、１３ａの間隔ｄ1 に相当するつま面１３ｄが形成されている。
【他の実施の形態】
【００２２】
折り線１１ａ、１１ａ…を介し、３枚の保持面１１、１１…を縦列に連接することにより、３枚のコンパクトディスクＣＤ、ＣＤ…を包装することができる（図６、図７）。なお、最後尾の保持面１１と、先頭から２番目の保持面１１との間の折り線１１ａ、１１ａは、間隔ｄ1 となっており、先頭の保持面１１と、先頭から２番目の保持面１１との間の折り線１１ａ、１１ａは、先頭の保持面１１と、縦フラップ１３との間の折り線１３ａ、１３ａと同様に、間隔ｄ2 ＞ｄ1 となっている。また、縦フラップ１３の挿入片１３ｂに対応する切込線１１ｂは、先頭から２番目の保持面１１に形成されている。
【００２３】
このような包装体は、各保持面１１上のコンパクトディスクＣＤを横フラップ１２、１２…を介して仮に保持した上（図７）、最後尾から先頭に向けてコンパクトディスクＣＤとともに各保持面１１を順に折り畳み（図８（Ａ）の矢印Ｋ1 方向、同図（Ｂ）の矢印Ｋ2 方向）、最後に縦フラップ１３を介して保持面１１、１１…を一括して止めることにより（同図（Ｂ）の矢印Ｋ3 方向、同図（Ｃ））、コンパクトディスクＣＤ、ＣＤ…の包装を完成させることができる。ただし、縦フラップ１３は、図５と同様にして、先端の挿入片１３ｂを切込線１１ｂに差し込んで止めるものとする。
【００２４】
また、保持面１１、１１…は、任意の複数を縦列に連接してもよい。たとえば図９は、５枚の保持面１１、１１…を連接している。なお、このとき、隣接する保持面１１、１１間の折り線１１ａ、１１ａは、最後尾から先頭に向けて順に間隔ｄを広くするのがよく、先頭の保持面１１と縦フラップ１３との間の折り線１３ａ、１３ａは、先頭の保持面１１と、先頭から２番目の保持面１１との間の折り線１１ａ、１１ａと同一の最大間隔に形成するのがよい。また、縦フラップ１３の挿入片１３ｂに対応する切込線１１ｂは、先頭から２番目の保持面１１に形成されている。
【００２５】
以上の説明において、包装するシート物は、コンパクトディスクＣＤの他、フロッピディスク、小冊子等の任意のシート状物であってもよい。また、各保持面１１の横フラップ１２、１２は、高さｈ≦ｗ／２として、それぞれの先端間に隙間を残して保持面１１上に折り重ねるようにしてもよい。
【図面の簡単な説明】
【００２６】
【図１】展開斜視説明図
【図２】展開図
【図３】使用状態説明図（１）
【図４】使用状態説明図（２）
【図５】使用状態説明図（３）
【図６】他の実施の形態を示す図２相当図
【図７】他の実施の形態を示す図３相当図（１）
【図８】他の実施の形態を示す図４相当図
【図９】他の実施の形態を示す図３相当図（２）
【符号の説明】
【００２７】
ｄ、ｄ1 、ｄ2 …間隔
１１…保持面
１１ａ…折り線
１１ｂ…切込線
１１ｃ…つま面
１２…横フラップ
１３…縦フラップ
１３ｂ…挿入片
特許出願人          株式会社  本荘美術印刷
代理人  弁理士              松  田  忠  秋
【図１】
2006008163.tif 000003
【図２】
2006008163.tif 000004
【図３】
2006008163.tif 000005
【図４】
2006008163.tif 000006
【図５】
2006008163.tif 000007
【図６】
2006008163.tif 000008
【図７】
2006008163.tif 000009
【図８】
2006008163.tif 000010
【図９】
2006008163.tif 000011